(57)【要約】【課題】糸の途中に鉛の錘が取り付けられている釣り糸であっても、釣り糸がもつれることを防止して、作業者が鋭い針先で怪我をすることなく、効率良く巻き取ることが可能な釣り糸巻取用ドラムと釣り糸巻取機を提供する。【解決手段】釣り糸巻取用ドラム１１は、中央部１がくびれた筒状の形状を有しており、外周端部２から中央部１に向かって傾斜面３を有している。傾斜面３の表面には磁石４が設けられている。釣り糸２０を巻き取る際には、幹糸２３が釣り糸巻取用ドラム１１の中央部１を通るようにして巻き取る。釣り糸巻取用ドラム１１が回転すると、枝糸２２の先端に取り付けられた釣り針２４が、傾斜面３の表面に設けられた磁石４に付着する。そのため、釣り針２４が幹糸２３に絡むことがなく、操作上便利であるとともに、作業者が釣り針２４で怪我をすることがない。【選択図】図２
0003128641.tif 000002
【実用新案登録請求の範囲】
【請求項１】
釣り糸を巻き取るために用いられる釣り糸巻取用ドラムにおいて、中央部がくびれた筒状の形状を有し、外周端部から前記中央部に向かって傾斜面を有し、前記傾斜面の表面には磁石が設けられていることを特徴とする釣り糸巻取用ドラム。
【請求項２】
請求項１記載の釣り糸巻取用ドラムの回転軸に沿ってベルトが巻かれており、電動巻き取り部の動力が前記ベルトに伝達されて釣り糸巻取用ドラムが回転することを特徴とする釣り糸巻取機。
【考案の詳細な説明】
【技術分野】
【０００１】
本考案は、複数の仕掛けが取り付けられた釣り糸を巻き取る際に用いられる釣り糸巻取用ドラムと釣り糸巻取機に関する。
【背景技術】
【０００２】
イカ釣り等を手釣りで行う際に、１本の幹糸に複数の擬餌針を繋ぎ先端に錘を設けた仕掛けが用いられている。イカ釣りにおいては、イカの群れが逃げないようにこの仕掛けを素早く海中へ投入する必要があり、また、釣り糸を巻き取る際には、釣り糸がもつれないように手早く巻き取ることが必要である。このことはイカ釣りに限らず、魚釣りの場合も同様である。
【０００３】
図５に、イカ釣りで手釣り用に通常用いられる釣り糸の構造を示す。釣り糸２０は、擬餌針２１が先端に取り付けられた複数の枝糸２２が、幹糸２３に連結された構造となっている。
【０００４】
釣り糸２０の巻き取りは手早く行うことが要求されるため、時間をかけて丁寧に釣り糸を揃えることができない。そのため、巻き取られた釣り糸２０は乱雑になりやすく、擬餌針２１が不規則に釣り糸２０に引掛かった状態となりやすい。擬餌針２１は鋭い針先を有しているため、釣り糸２０がもつれると作業者は怪我をしやすく、操作性と安全性の点で問題があった。
釣り糸２０を効率よく巻き取るために、リールに磁石を取り付けたものが、特許文献１に記載されている。
【０００５】
【特許文献１】特開２０００−２７０７３５号公報
【考案の開示】
【考案が解決しようとする課題】
【０００６】
しかし、手釣り用の釣り糸は、比較的深い海中に生息する魚を採るために、１００ｍほどの長さのものが使用される場合があり、海中での潮流に流されないようにするために、釣り糸の途中に間隔を置いて鉛の錘が取り付けられていることがあり、このような釣り糸は、通常使用されているリールでは、錘が邪魔になってうまく巻き取ることができない。
【０００７】
本考案は、このような問題点を解決するためになされたもので、糸の途中に鉛の錘が取り付けられている釣り糸であっても、釣り糸がもつれることを防止して、作業者が鋭い針先で怪我をすることなく、効率良く巻き取りと巻きおろしを行うことが可能な釣り糸巻取用ドラムと、この釣り糸巻取用ドラムを備えた釣り糸巻取機を提供することを目的とする。
【課題を解決するための手段】
【０００８】
以上の課題を解決するために、本考案の釣り糸巻取用ドラムは、釣り糸を巻き取るために用いられる釣り糸巻取用ドラムにおいて、中央部がくびれた筒状の形状を有し、外周端部から前記中央部に向かって傾斜面を有し、前記傾斜面の表面には磁石が設けられていることを特徴とする。
【０００９】
釣り糸を巻き取る際に、枝糸の先端に取り付けられた釣り針や擬餌針が、傾斜面の表面に設けられた磁石に付着するため、釣り針や擬餌針が幹糸に絡むことがなく、操作上便利であるとともに、作業者が釣り針や擬餌針で怪我をすることがない。
【００１０】
また、本考案の釣り糸巻取用機は、上述した釣り糸巻取用ドラムの回転軸に沿ってベルトが巻かれており、電動巻き取り部の動力が前記ベルトに伝達されて釣り糸巻取用ドラムが回転することを特徴とする。
【００１１】
釣り糸の巻き取りおよび巻きおろしは、電動巻き取り部を操作して、ベルトの回転方向を転換することにより簡便に行うことができる。また、電動巻き取り部に内在するモータのクラッチによって、釣り糸の巻き取り速度を適宜変更することができる。
【考案の効果】
【００１２】
本考案によると、釣り糸がもつれることを防止して、作業者が鋭い針先で怪我をすることなく、効率良く巻き取りと巻きおろしを行うことが可能な釣り糸巻取用ドラムと、この釣り糸巻取用ドラムを備えた釣り糸巻取機を実現することができる。
【考案を実施するための最良の形態】
【００１３】
以下に、本考案をその実施形態に基づいて説明する。
図１に、本考案の実施形態に係る釣り糸巻取用ドラムを備えた釣り糸巻き取り機の外観を示す。
【００１４】
図１において、釣り糸巻き取り機１０は、釣り糸巻取用ドラム１１が支持部１２によって船上に固定されて使用されるものである。釣り糸巻取用ドラム１１は回転軸１３を有しており、この回転軸１３に沿ってベルト１４が巻かれており、電動巻き取り部１５の動力がベルト１４に伝達されることによって釣り糸巻取用ドラム１１が回転する。
【００１５】
図２に基づいて、釣り糸巻取用ドラム１１によって釣り糸２０が巻き取られる様子を説明する。
図２（ａ）に示すように、釣り糸巻取用ドラム１１は、中央部１がくびれた筒状の形状を有しており、外周端部２から中央部１に向かって傾斜面３を有している。傾斜面３の表面には磁石４が設けられている。図２においては、丸型の磁石４を複数配置したものを示しているが、これに限定されるものではなく、磁石４は板状や棒状であってもよい。
【００１６】
釣り糸２０を巻き取る際には、幹糸２３が釣り糸巻取用ドラム１１の中央部１を通るようにして巻き取る。漁業関係者が通常使用する釣り糸２０は、枝糸２２の長さが約４０ｃｍであり、幹糸２３に枝糸２２が取り付けられる間隔は１０ｍ程度である。
【００１７】
図１に示すベルト１４に電動巻き取り部１５の動力が伝達されると、釣り糸巻取用ドラム１１が回転し、図２（ｂ）に示すように、枝糸２２の先端に取り付けられた釣り針２４が、傾斜面３の表面に設けられた磁石４に付着する。そのため、釣り針２４が幹糸２３に絡むことがなく、操作上便利であるとともに、作業者が釣り針２４で怪我をすることがない。傾斜面３の寸法は、巻き取り時に釣り針２４が磁石４に自然に付着する長さに設定することが好ましい。
【００１８】
図３は、イカ釣り用に用いられる、擬餌針２１が枝糸２２の先端に取り付けられた釣り糸２０を巻き取っている状況を示すものであり、原理は図２に示すものと同様である。擬餌針２１の針先は金属によって形成されるため、擬餌針２１は、傾斜面３の表面に設けられた磁石４に付着する。従って、擬餌針２１が幹糸２３に絡むことがなく、操作上便利であるとともに、作業者が擬餌針２１の針先で怪我をすることがない。
【００１９】
図４は、錘２５が取り付けられた釣り糸２０を巻き取っている状況を示すものである。ここでは、枝糸２２は図示せず、幹糸２３のみを図示している。錘２５は幹糸２３の途中に間隔を置いて配置されており、幹糸２３は釣り糸巻取用ドラム１１のくびれた中央部１で巻き取られるため、錘２５があっても巻き取りに支障をきたすことがない。
【００２０】
以上は、釣り糸２０を巻き取る場合について説明したが、一旦巻き取られた釣り糸２０は、図１に示す電動巻き取り部１５を操作して、ベルト１４の回転方向を逆にすることにより、釣り糸２０を簡便に巻きおろすこともできる。また、電動巻き取り部１５に内在するモータのクラッチによって、釣り糸２０の巻き取り速度を適宜変更することができるため、状況に応じた巻き取り速度の変更が可能である。
【産業上の利用可能性】
【００２１】
本考案は、釣り糸がもつれることを防止して、作業者が鋭い針先で怪我をすることなく、効率良く巻き取りと巻きおろしを行うことが可能な釣り糸巻取用ドラムと、この釣り糸巻取用ドラムを備えた釣り糸巻取機として利用することができる。特に、竿を用いずに行う、手釣り用の巻き取り装置として有効である。
【図面の簡単な説明】
【００２２】
【図１】本考案の実施形態に係る釣り糸巻取用ドラムを備えた釣り糸巻き取り機の外観を示す図である。
【図２】釣り糸巻取用ドラムによって釣り糸が巻き取られる様子を説明するための図である。
【図３】擬餌針が枝糸の先端に取り付けられた釣り糸を巻き取っている状況を示す図である。
【図４】錘が取り付けられた釣り糸を巻き取っている状況を示す図である。
【図５】イカ釣りで手釣り用に通常用いられる釣り糸の構造を示す図である。
【符号の説明】
【００２３】
１  中央部
２  外周端部
３  傾斜面
４  磁石
１０  釣り糸巻き取り機
１１  釣り糸巻取用ドラム
１２  支持部
１３  回転軸
１４  ベルト
１５  電動巻き取り部
２０  釣り糸
２１  擬餌針
２２  枝糸
２３  幹糸
２４  釣り針
２５  錘
【図１】
0003128641.tif 000003
【図２】
0003128641.tif 000004
【図３】
0003128641.tif 000005
【図４】
0003128641.tif 000006
【図５】
0003128641.tif 000007